(57)【要約】【課題】  取り扱いが容易で安全性の高い発熱体を備え、持ち運びも容易で、多様な身体の保温に活用できるブランケットを提供する。【解決手段】  絶縁性シートで包まれフレキシブルな面状発熱体４と、面状発熱体４を収納する発熱体収納ポケット６と、面状発熱体４に電力を供給する充電式バッテリ８と、充電式バッテリ８を収納するバッテリ収納袋１２と、一対の帯状の開口部１６を対称な位置に形成する二対のスライドファスナ１４とを備える。面状発熱体４は、ＰＴＣ特性を有して発熱する。各スライドファスナ１４は、一対のスライドファスナ１４が互いに平行に配置されて所定幅のスリット状の開口部１６を形成可能に設けられているともに、二対のスライドファスナ１４は各々上端縁に向かって互いに近づくように斜めに位置している。【選択図】図１
2005273075.tif 000002
【特許請求の範囲】
【請求項１】
絶縁性シートで包まれフレキシブルな面状発熱体と、前記面状発熱体を収納するポケットと、前記面状発熱体に電力を供給する充電式バッテリと、前記充電式バッテリを収納する収納袋と、前記ポケットを挟んで対称な位置に設けられ一対の帯状の開口部を形成する二対のスライドファスナとを備えたことを特徴とするブランケット。
【請求項２】
前記面状発熱体はＰＴＣ特性を有して発熱するように形成されている前記ことを特徴とする請求項１記載のブランケット。
【請求項３】
前記各スライドファスナは、一対のスライドファスナが互いに平行に配置されて所定幅のスリット状の開口部を形成可能に設けられているともに、前記二対のスライドファスナは各々上端縁に向かって互いに近づくように斜めに位置し、前記開口部が腕を通す開口となり、互いに対向する側縁部に設けられた留め具と前記上端縁に設けられた留め紐とにより防寒着として使用可能としたことを特徴とする請求項１記載のブランケット。
【請求項４】
前記ポケットと収納袋は、前記ブランケットの内面に、前記ブランケットと一体に設けられたものであることを特徴とする請求項１記載のブランケット。
【請求項５】
前記収納袋は、前記ブランケットとは別体に設けられ、身体に取り付け可能な取付部材を備えたものであることを特徴とする請求項１記載のブランケット。
【請求項６】
表面と裏面にそれぞれ取手を備え、折りたたむことにより前記取手により手提げ状態で持ち運び可能としたことを特徴とする請求項１記載のブランケット。
【発明の詳細な説明】
【技術分野】
【０００１】
この発明は、面状発熱体を備え多目的に使用できるブランケットに関する。
【背景技術】
【０００２】
従来、腿や膝を中心とした足、または肩から羽織ることにより体を保温するブランケットとして、羽毛や綿などの嵩高な素材を用いて空気層を設けたものや、フリースやボアなどのように繊維布帛そのものが空気層を含む構造などにより、体温を逃がしにくい構造に縫製されたものがある。このような、ブランケットには、ニクロム線を使用した電気ヒータを布地に挟み込みこんだものや、特許文献３に示すように、使い捨てカイロなどを布地に設けたポケットに入れるなどにより、積極的に暖めるものがある。
【０００３】
また、電気発熱体には、ニクロム線を使用した電気ヒータのほかに、特許文献１にあるような面状発熱体が知られており、これはニクロム線のように線で暖めるのではなく、面で暖めるものもある。このような面状発熱体を用いたウエアとしては特許文献２に示すものが提案されている。
【特許文献１】特開平５−２５８８４２号公報
【特許文献２】特開２００１−２００４０８号公報
【特許文献３】特開２００３−１１６６９９号公報
【発明の開示】
【発明が解決しようとする課題】
【０００４】
前記従来のブランケットは、膝掛けなど下半身の保温を目的としており、体温を逃がしにくいだけであって、積極的に発熱して保温するものではない。また、ニクロム線を使用する電気ヒータを発熱体として使用した電気膝掛けはあるが、商用電源に接続することが必要であり、電源回路やコントローラが必要となり、取り扱い性も良くないものである。さらに、乱暴な使用等によりニクロム線が断線する可能性もあり、取り扱いにも注意が必要である。また、ニクロム線等の電気ヒータを使用する場合、使用状態によっては電気ヒータ部分が非常に熱くなり、火傷や火災の恐れがあるため、サーモスタットなどの温度調節機器が必要である。さらに、布地が汚れた場合、布地に電気ヒータが挟み込んであるため、家庭で手軽に洗濯出来ないと言う問題もある。一方、特許文献３のように、膝掛けに設けたポケットに、発熱体として使い捨てカイロを入れて保温するものもあるが、使い捨てカイロが嵩張る上、使い捨てのため経済的でなく、保温温度も低い。
【０００５】
この発明は、前記従来の技術に鑑みて成されたもので、取り扱いが容易で安全性の高い発熱体を備え、持ち運びも容易で、多様な身体の保温に活用できるブランケットを提供することを目的とする。
【課題を解決するための手段】
【０００６】
この発明は、絶縁性シートで包まれフレキシブルな面状発熱体と、前記面状発熱体を収納するポケットと、前記面状発熱体に電力を供給する充電式バッテリと、前記充電式バッテリを収納する収納袋と、前記ポケットを挟んで対称な位置に設けられ一対の帯状の開口部を形成する二対のスライドファスナとを備えたブランケットである。前記面状発熱体は、ＰＴＣ特性を有して発熱するように形成されている。
【０００７】
さらに、前記各スライドファスナは、一対のスライドファスナが互いに平行に配置されて所定幅のスリット状の開口部を形成可能に設けられているともに、前記二対のスライドファスナは各々上端縁に向かって互いに近づくように斜めに位置し、前記開口部が腕を通す開口となり、互いに対向する側縁部に設けられた留め具と前記上端縁に設けられた留め紐とにより防寒着として使用可能なブランケットである。
【０００８】
また、前記ポケットと収納袋は、前記ブランケットの内面に一体に設けられたものである。または、前記収納袋は、前記ブランケットとは別体に設けられ、身体に取り付け可能なフック部材等の取付部材を備えたものでも良い。
【０００９】
また、表面と裏面にそれぞれ取手を備え、折りたたむことにより前記取手により手提げ状態で持ち運び可能としたものである。
【発明の効果】
【００１０】
この発明のブランケットによれば、薄くフレキシブルない発熱体である面状発熱体を使用することにより、ポケットに収納しても嵩張らず、違和感なく保温用に使用することができる。また電源に充電式のバッテリを設けたので、使用時に電源に接続するコード長く取り扱い性がよく、外出先での使用も可能である。さらに、二対のスライドファスナにより、腕を通す開口部を形成して着用可能であり、膝掛けのみならず、背中に羽織って防寒用に利用することも可能である。
【００１１】
また、面状発熱体にＰＴＣ特性を持たせることにより、自己温度制御特性を備え、一定の温度を保つため、異常昇温あるいは発火などは起こさず、取り扱いが容易で安全である。
【００１２】
また、二対のスライドファスナを互いに斜めに対称に配置して、腕を通すための開口部を形成したので、羽織って使用した場合の着用感が自然であり、皺や突っ張り感がない。さらに、留め具を設けているため、防寒着として羽織っても落ちたりせず、安定して着用可能である。さらに、取手を備えることにより、折りたたむと手提げ状態で容易に持ち運びができる。
【００１３】
面状発熱体や充電式バッテリは、ブランケットに設けたポケットや収納袋に収納されているため、取り外しが可能であり、ブランケット自体は家庭で容易に洗濯ができるものである。
【発明を実施するための最良の形態】
【００１４】
以下、この発明のブランケットの一実施形態について、図１〜図４に基づいて説明する。この実施形態のブランケット２は、肩掛けや膝掛け、または羽織ることで防寒着として使用できるなど、多様な使い方により身体を保温することができるものである。
【００１５】
この実施形態におけるブランケット２は、略台形状の保温性のある生地から成り、角部が斜めに切除された形状である。このブランケット２の中央部裏面側の上方には、絶縁性シートで包まれフレキシブルな面状発熱体４とその面状発熱体４を収納する発熱体収納ポケット６が設けられている。発熱体収納ポケット６の上方には、生地裏面側に、充電式バッテリ８を収納するポケット状のバッテリ収納袋１２が形成されている。
【００１６】
面状発熱体４は、例えば方形の和紙や不織布に抵抗発熱体として炭素繊維などをばらまき、樹脂を塗布した絶縁性フィルム等に接着してシート状に形成し、両端に電極を備えたもので、柔軟で薄い発熱体である。さらに、面状発熱体４は、炭素繊維などと塗布した樹脂の熱膨張により起こる抵抗値のＰＴＣ特性により、自己温度制御特性を持つ発熱体である。また、充電式バッテリ８は、商用電源から充電器により繰り返し充電して使用できるバッテリである。
【００１７】
この実施形態によるブランケット２は、図１に示すような形に形成されており、上端縁となる一辺が筒状２４に縫製され、留め紐２０が通されている。ブランケット２の両側縁部には、折りたたむと図２に示す長方形を成すように、留め具であるホック１８が取り付けられ、図２に示す状態で側縁部のホック１８と対応するほぼ中央位置には、受け側のホック１８取り付けられている。また、面状発熱体４を収納する発熱体収納ポケット６は、面状発熱体４より僅かに大きい程度の長方形に形成され、バッテリ収納袋１２は、充電式バッテリ８を収納可能に充電式バッテリ８よりも僅かに大きな長方形に形成されている。
【００１８】
さらに、バッテリ収納袋１２の上端には内側取手２２が設けられ、反対面であるブランケットの外側の中央部下方には、外側取手２８が取り付けられている。また、ブランケット２の内側中央付近の適宜位置に、充電式バッテリ８を収納するポケット状の予備袋２６がさらに設けられていても良く、バッテリ収納袋１２と予備袋２６のいずれか一方が設けられたものでも良い。
【００１９】
ブランケット２には、発熱体収納ポケット６及びバッテリ収納袋１２を挟むように、各一対のスライドファスナ１４により形成される開口部１６が互いに対称な位置に配置されている。開口部１６を形成する部分の一対のスライドファスナ１４で挟まれた帯状の部分は、ブランケット２の生地が帯状にスライドファスナ１４により挟まれ、その部分の生地の上端部は、ブランケット２の上方の生地と分離され、一対のスライドファスナ１４を開くことにより、帯状に開口可能に設けられている。開口部１６は、ブランケット２の上端縁に向かって互いに近づくように斜めに位置し、互いに対称に設けられている。各開口部１６を形成する各一対のスライドファスナ１４間の開口部１６の布端には、端部の隙間を塞ぐフラップ状の覆い布３０が取り付けられている。
【００２０】
この実施形態におけるブランケット２は、膝掛けとして使う場合は、図２のように留め具であるホック１８を留めて長方形の形状にし、折りたたみ面を内側にして膝に掛け、さらに紐を腰などに巻き留める。また、ホック１８を外し、図１のように広げて、腰に巻いて使用しても良い。さらに、留め紐２０により腰に巻き付けて留め、エプロンのようにし着用しても良い。
【００２１】
また、他の使用方法として、開口部１６のスライドファスナ１４を下げて開口部１６を開け、ベストの要領で開口部１６に腕を通し図４に示すように着用することもできる。この場合、充電式バッテリ８は予備袋２６の位置にある方が着用感が良好である。そして、体正面のホック１８を留め、留め紐２０の紐を適宜に結ぶことにより着用する。
【００２２】
さらに、この実施形態におけるブランケット２は、図２の状態から図３のように端を折り込むように折りたたむことにより、ブランケット２の内側取手２２と外側取手２８により手提げ鞄状態に畳むことができる。
【００２３】
また、バッテリ収納袋１２は、図４の仮想線示すように、ブランケット２とは別体に設けられ、身体に取り付け可能なフック部材３２等の取付部材を備えたものでも良い。
【００２４】
この実施形態のブランケット２は、発熱体に使用する面状発熱体がＰＴＣ特性を備え、一定の温度以上に上昇せず良好な温度を保つことができ、異常昇温や発火が起きないため、火傷の心配もなく安全に保温できるものである。さらに、ホック１８を留めることにより、膝などに掛けやすい長方形の形状とすることができ、用途に合わせて大きさを調節することができる。また、防寒着として羽織る場合、スライドファスナ１４により容易に腕を通す開口部１６ができるため、羽織易く、しかも開口部１６はスライドファスナ１４を閉じておくことにより、膝掛け等として使用時の保温性を犠牲にすることはない。また、持ち運ぶ場合は、図２の状態から端を折り込むように折りたたむと図３のように手提げ鞄状態に成り、持ち運びに便利である。
【００２５】
また、ブランケット２の布が汚れた場合は、面状発熱体４、充電式バッテリ８は、それぞれポケット６、収納袋１２に収納されているため、取り外しが可能であり、家庭で容易に洗濯ができ、清潔さを保つことができる。
【００２６】
なお、この発明のブランケットは前記実施形態に限定されるものではなく、面状発熱体や充電式バッテリを収納するポケットや収納袋の位置、ブランケットの外観的形状、布地の素材及びその大きさは適宜のものを採り得る。使用する面状発熱体の大きさ、枚数、充電式バッテリの容量も適宜選択可能である。
【図面の簡単な説明】
【００２７】
【図１】この発明の一実施形態のブランケットを展開した状態を示した概略図である。
【図２】この発明の一実施形態のブランケットを内側に折りたたんで留め具を留めた状態を示した概略図である。
【図３】この実施形態のブランケットを手提げ鞄状態に折りたたんだ状態を示す概略図である。
【図４】この実施形態の膝掛けを羽織った状態を示す概略図である。
【符号の説明】
【００２８】
２  ブランケット
４  面状発熱体
６  発熱体収納ポケット
８  充電式バッテリ
１２  バッテリ収納袋
１４  スライドファスナ
１６  開口部
１８  ホック
２０  留め紐
２２  内側取手
２８  外側取手
【図１】
2005273075.tif 000003
【図２】
2005273075.tif 000004
【図３】
2005273075.tif 000005
【図４】
2005273075.tif 000006